(57)【要約】【課題】  投入又は送られてくる紙幣の投入方向・投入位置に多少変動があっても紙幣を確実に取り込め、しかも紙幣の先端を損耗させることが少なく、又紙幣を折曲させることもなく取り込める。【解決手段】  紙幣搬送装置のキャレッジ５ｂによって送られてくる紙幣Ｍをベルトコンベア１ａの上に対向的に設けた変形し易い弾性シート２の先端部の湾曲部分に当て、紙幣Ｍの先端を弾性シート２の対向面２ｓに沿って滑らせながら下方に誘導して、その後面で紙幣Ｍの先端部分をベルトコンベア１ａの送り面上にのせるように接触させ、しかも弾性シート２の後面がその上に軽く押し付けることで、紙幣Ｍをベルトコンベア１ａによって確実に送れるようにする。【選択図】図１１
2016118914.tif 000002
【特許請求の範囲】
【請求項１】
送られている紙幣を捕捉して強制送りする紙幣取り込み装置であって、紙幣の送り先にベルトの送り方向が紙幣の送り方向と平行方向で、且つベルト送り面が紙幣の送り込み軌道より少し離れた位置に紙幣送り用ベルトコンベアを設け、同ベルトコンベアの送り面と対向した位置に弾性変形でき且つシートの対向面を滑り易い面とした弾性シートをベルトコンベアの送り方向に従って漸次近接するように配置するとともに、弾性シートの先端とベルトコンベアのベルトの送り面の間の中間に紙幣の送り込み軌道がくるように且つ弾性シートのシート後面がベルトの送り面と接触するように構成し、送られてくる紙幣の先端が弾性シートに当ってシートの対向面に沿ってベルトコンベアに近づくように案内されて、ベルトコンベアの送り面に接触するまで誘導して紙幣を弾性シートがベルトコンベアの送り面に押し付けるようにして、紙幣をコンベアで確実に強制送りできるようにしたことを特徴とする、紙幣取り込み装置。
【請求項２】
弾性シートの後面中央に開口を設け、同開口の位置に紙幣送りローラを設けるとともに、同紙幣送りローラの一端が弾性シートの後面の対向面と同じ面かそれよりベルトコンベア側に僅か突出するように配置した、請求項１記載の紙幣取り込み装置。
【請求項３】
弾性シートの前縁とベルトの送り面との間隔が１０ｍｍ以上である、請求項１又は２記載の紙幣取り込み装置。
【請求項４】
弾性シートの前縁部が湾曲した曲面となった、請求項１〜３何れか記載の紙幣取り込み装置。
【請求項５】
弾性シートの素材がポリ四ふっ化エチレン樹脂であって、弾性シートの対向面の動摩擦係数が０．１０以下である、請求項１〜４何れか記載の紙幣取り込み装置。
【発明の詳細な説明】
【技術分野】
【０００１】
本発明は、商品自動販売機、商品購入券発行機、サービス券発行機、遊技場の貸機、入場券発行機等で使用されている商品・サービスを受けるために紙幣を投入する装置において、人によって投入された紙幣又は動力を使用して送られてくる紙幣を確実に捕捉して、所定の場所に送る紙幣取り込み装置に関する。
【背景技術】
【０００２】
手で差し込まれるようにして投入される紙幣又は動力で送られてくる紙幣を対向したコンベアからなるコンベア装置、又は対向したローラを用いたローラ装置でもって捕捉して、コンベア又はローラでもって強制送り込む装置は、引用文献１，２において広く使用されている。
【先行技術文献】
【特許文献】
【０００３】
【特許文献１】特開２００３−２０１５２号公報
【特許文献２】特開２００３−２２４６５号公報
【０００４】
一対のベルトコンベアによる捕捉・搬送では、送られてくる紙幣の先端が正しい挿入位置であればよいが、ベルトコンベアのコンベア面に対し斜めに進入すると、コンベア面に紙幣先端が当って紙幣の送り速度の方が速いと紙幣が湾曲したり又は折れたりする。コンベア面が摩擦があって滑りにくいものであれば、余計に湾曲・折曲し易いものとなる。又、紙幣の先端が剛性あるベルトコンベア又はローラの表面と当って紙幣の先端が損傷しがちとなる。
又、紙幣の送り込み速度が遅く、コンベアの送りの方が速い場合は、紙幣とコンベア面とは紙幣先端のみ当って紙幣送り力（紙幣捕捉力）が不足して、ベルトコンベアは空送りして紙幣送りの確実さがなくなる。又、紙幣の先端がコンベアベルトで擦られて損耗する。
【発明の概要】
【発明が解決しようとする課題】
【０００５】
本発明が解決しようとする課題は、従来のこれらの問題点を解消し、紙幣の送り込まれる投入方向・投入速度が多少適切でなくても紙幣を確実に且つ損耗することなく捕捉して、コンベア送りすることができる紙幣取り込み装置を提供することにある。
【課題を解決するための手段】
【０００６】
かかる課題を解決した本発明の構成は、
１）  送られている紙幣を捕捉して強制送りする紙幣取り込み装置であって、紙幣の送り先にベルトの送り方向が紙幣の送り方向と平行方向で、且つベルト送り面が紙幣の送り込み軌道より少し離れた位置に紙幣送り用ベルトコンベアを設け、同ベルトコンベアの送り面と対向した位置に弾性変形でき且つシートの対向面を滑り易い面とした弾性シートをベルトコンベアの送り方向に従って漸次近接するように配置するとともに、弾性シートの先端とベルトコンベアのベルトの送り面の間の中間に紙幣の送り込み軌道がくるように且つ弾性シートのシート後面がベルトの送り面と接触するように構成し、送られてくる紙幣の先端が弾性シートに当ってシートの対向面に沿ってベルトコンベアに近づくように案内されて、ベルトコンベアの送り面に接触するまで誘導して紙幣を弾性シートがベルトコンベアの送り面に押し付けるようにして、紙幣をコンベアで確実に強制送りできるようにしたことを特徴とする、紙幣取り込み装置
２）  弾性シートの後面中央に開口を設け、同開口の位置に紙幣送りローラを設けるとともに、同紙幣送りローラの一端が弾性シートの後面の対向面と同じ面かそれよりベルトコンベア側に僅か突出するように配置した、前記１）記載の紙幣取り込み装置
３）  弾性シートの前縁とベルトの送り面との間隔が１０ｍｍ以上である、前記１）又は２）記載の紙幣取り込み装置
４）  弾性シートの前縁部が湾曲した曲面となった、前記１）〜３）何れか記載の紙幣取り込み装置
５）  弾性シートの素材がポリ四ふっ化エチレン樹脂であって、弾性シートの対向面の動摩擦係数が０．１０以下である、前記１）〜４）何れか記載の紙幣取り込み装置
にある。
【発明の効果】
【０００７】
本発明によれば、送られてくる紙幣は対向しているベルトコンベアと弾性シートの前縁との間の間口（弾性シートの前縁とベルトの送り面との間隔の空間）に向けられ、紙幣の先端はこの間口を閉鎖するように取付けられる弾性シートに当る。紙幣はある程度の剛性と慣性を有しているので、紙幣の先端が弾性シートの対向面に当るとこれに沿って滑り、及び弾性シートのシートを押し拡げるように変形変位させて、紙幣は弾性シートの対向面を滑りながら漸次対向するコンベアのベルト送り面に近づく。そして、弾性シートの後面はコンベアのベルトの送り面に接触するようになっているので、弾性シートの対向面に沿って滑るように送られながら、最後はベルトの送り面に接触し、しかも弾性シートの弾性力が上方から紙幣を軽く押し付けるように付勢させることで、紙幣はコンベアのベルトの送り面に全面的に接触し、摩擦力が大きくなってコンベアの送りとともに紙幣は確実に強制送りされるものである。
【０００８】
特に、弾性シートがポリ四ふっ化エチレン樹脂製のものであって、動摩擦係数が０．１程以下となって滑り易く、紙幣の先端を弾性シートの下面に沿って抵抗が少なく滑らかに滑って下方へと送られていく。
しかも、弾性シートの前縁とコンベアの送り面との間隔が１０ｍｍ以上であれば、紙幣の送り方向、送り位置が多少変動があっても、紙幣の前端は確実に弾性シートと当り、弾性シートの対向面に沿ってその前端はコンベアの送り面に近づくように案内されて、コンベアのベルトの送り面に平行に接触させる。これによって、ベルトコンベアの送りとともに、紙幣も送られる。しかも、弾性シートの後面では紙幣の上面には弾性シートによって下方に押し付けるようになって、紙幣はコンベア面に軽く押されてコンベア面との密着力及び摩擦力も大きくなり、紙幣はコンベアとともに送られる。紙幣の先端が弾性シートに当っても弾性シートが柔らかく変形・変位すること及び弾性シートの対向面が滑り易いので、紙幣の先端に当っても先端が損耗したり紙幣が変形・折曲したりすることはない。
【０００９】
特に、弾性シートがポリ四ふっ化エチレン樹脂であればシート下面はかなり滑り易く、紙幣は弾性シートに当るとその下面に沿って滑って下方へ漸次送られ、コンベア面上に誘導され、これに上方に被さるように弾性シートの後面が作用することで、紙幣はコンベア面に全面的に密着するようになって確実に送られる。
【図面の簡単な説明】
【００１０】
【図１】図１は本発明の実施例を示すケーシング切欠の斜視図である。
【図２】図２は実施例の紙幣取り込み部分の構造を示す縦断面図である。
【図３】図３は実施例の弾性シートと紙幣送りローラとの構造を示す斜視図である。
【図４】図４は実施例の横断面図である。
【図５】図５は実施例の紙幣送り込みの初期の状態を示す縦断面図である。
【図６】図６は図５の状態を示す横断面図である。
【図７】図７は実施例の紙幣前端が弾性シートに沿って下方に案内された状態を示す縦断面図である。
【図８】図８は図７の状態を示す横断面図である。
【図９】図９は実施例の紙幣を弾性シートとベルトコンベアとの間に挟むように取り込んだ状態を示す横断面図である。
【図１０】図１０は実施例の紙幣を取り込み完了した状態を示す横断面図である。
【図１１】図１１は実施例における紙幣送りの状態を示す説明図である。
【図１２】図１２は実施例における紙幣送りの状態を示す説明図である。
【図１３】図１３はベルトコンベアに紙幣の巾以上の広巾を有するベルトコンベアを使用した本発明の他の実施例の構造を示す斜視図である。
【図１４】図１４は図１３の他の実施例の弾性シートと紙幣送りローラとを示す斜視図である。
【図１５】図１５は弾性シートを２段に設けた実施例の他の例の説明図である。
【図１６】図１６はキャレッジ案内ガイドが紙幣取込口まで直線的に延びた実施例の説明図である。
【発明を実施するための形態】
【００１１】
本発明の弾性シートの素材としては、対向面の動摩擦係数が小さく、変形変位し安い素材又は厚みのシート材が選ばれる。特に、シート面が滑り易いポリ四ふっ化エチレン樹脂が好ましい。このポリ四ふっ化エチレン樹脂の動摩擦係数は０．０５〜０．１０程である。
又、弾性シートの厚みとしては、ポリ四ふっ化エチレン樹脂の使用例では、０．４ｍｍ程がよく、紙幣の前端に働く慣性力で弾性シートが多少変位・変形できる程度にするのがよく、弾性シート面の滑りと弾性シート自体の変形・変位で紙幣をスムーズにコンベア面方向に案内するような程度のものとすることが好ましい。
【００１２】
弾性シートの後方には紙幣と接触して、紙幣を強制送りするローラがあることが好ましい。図１〜１２に示す実施例は、弾性シートの後面に開口し、その開口位置に紙幣送りローラを設け、同ローラが開口を介して紙幣と直接接触して送るようにしている。図１３，１４に示す他の実施例では、弾性シートの後端から後方に離れた位置に一対の紙幣送りローラを設ける例である。前者の方が早期に紙幣強制送りでき、送りが確実であるので好ましい。
又、弾性シートは複数列分割して設けてもよい。
【実施例】
【００１３】
以下、本発明の実施例を図面に基づいて説明する。この実施例は、紙幣をＸ字状の断面を有する縦長のプラスチック製のキャレッジの後方のＶ字状羽根部の中央の溝で紙幣を捕捉して、空気流によって同キャレッジを紙幣送り路に沿って走行させ、本実施例の紙幣取り込み装置に送り込む例である。
又、この実施例の弾性シートはポリ四ふっ化エチレン樹脂（テフロン（登録商標））の厚み０．４ｍｍのシートを使用した。又、同弾性シートの後面中央に開口を設け、同開口位置に紙幣送りローラを設けた例である。ベルトコンベアのベルト送り面と弾性シートの湾曲した前縁との距離は１２ｍｍ程である。又、図４中で下側にみえるキャレッジ案内ガイド５ｃのガイド内端５ｃｕとベルトコンベア１ａ，１ｂのベルト送り面（上面）との間隔は５ｍｍとしている。
【００１４】
（符号の説明）
図１〜１２に示す実施例の紙幣取り込み装置Ｇの符号について説明する。この実施例は、遊技場の多数の貸機に投入された紙幣を１枚毎キャレッジで捕捉して搬送する紙幣搬送装置の送り先の紙幣格納室４ｂの前方で紙幣を取り込んで格納する為に使用される例である。１ａ，１ｂは実施例のベルトコンベアで、紙幣Ｍの上下の一部のみ受ける細長の上下一対のベルトコンベアである。１ｃはその紙幣取込口である。２はポリ四ふっ化エチレン樹脂で厚み０．４ｍｍの弾性シートで、同弾性シートの取付部材２ａに取付けた前縁２ｂとベルトコンベア１ａ，１ｂとベルト送り面との距離は１２ｍｍとしている。２ｃは弾性シート２の後面に設けた開口、２ｄは同開口２ｃに設けられた短い紙幣送りローラ、３は紙幣取り込み装置Ｇのケーシング、４ａはベルトコンベア１ａ，１ｂの後方の紙幣送りローラ、４ｂは送り込まれる紙幣を重ねて格納する機構（図示せず）を有する紙幣格納室、５は空気流でキャレッジ５ｂを走行させる紙幣搬送装置のケーシング、５ａはキャレッジ送り路、５ｂはプラスチック製で前後にＶ字状の羽根部５ｂ１，５ｂ２を有するキャレッジ、５ｃはキャレッジ案内ガイド、５ｃｕは同キャレッジ案内ガイドのガイド内端、５ｄはキャレッジ５ｂのリターン部で、５ｅはキャレッジ送り路５ａの紙幣放出部で、途中に電動ストッパ（図示せず）で出没自在にしてキャレッジ５ｂを停止・発進できるようにしている。
尚、紙幣搬送装置は送風機（図示せず）を備えていて、そのリターン部５ｄのケーシング５内へ空気流を送り込めるようになっている。キャレッジ送り路５ａの終点でもあるリターン部５ｄで空気を開放し、キャレッジの送り速度を弱めてゆっくりと紙幣Ｍを送り出すようにしている。
【００１５】
この実施例では、空のキャレッジ５ｂはリターン部５ｄの下方に待機し、貸機（図示せず）に紙幣が投入されると、電動ストッパ（図示せず）が作動してキャレッジ５ｂが送り込まれた空気流で走行する。一方、紙幣Ｍを投入された貸機（図示せず）は紙幣をキャレッジ送り路５ａ内に送り出し、キャレッジ送り路５ａに送り出された紙幣Ｍをキャレッジ５ｂがそのＶ字状の羽根部５ｂ１で捕捉して、キャレッジ５ｂによって搬送されてそのキャレッジ送り路５ａの終端の湾曲したリターン部５ｄの入口で、キャレッジ５ｂは一時停止又は減速して、捕捉した紙幣Ｍを紙幣放出部５ｅで放出し、キャレッジ送り路５ａの延長にある紙幣取込口１ｃへ送り出す。一方、キャレッジ５ｂは湾曲したリターン部５ｄのキャレッジ案内ガイド５ｃによって回転して、電動ストッパ（図示せず）によってキャレッジ送り路５ａの始端位置（図中下の位置）で一時停止し、次の貸機から投入された紙幣がキャレッジ送り路へ送り出されると、始端位置から空気流によって走行して、次の紙幣の捕捉と搬送へ動き出すように制御されている。
【００１６】
ここで、本実施例の紙幣取り込み装置Ｇでは、紙幣取込口１ｃからキャレッジ５ｂで送られて、キャレッジ送り路５ａの終端（リターン部５ｄの始端）でキャレッジ５ｂは一時停止又は減速あるいは円運動が始まるとともに、捕捉された紙幣Ｍはその送られてきた方向で送られてきた速度で紙幣取込口１ｃへ動いて、弾性シート２の湾曲した対向面２ｓに当って、弾性シート２の対向面２ｓに沿って滑って、ベルトコンベア１ａ，１ｂの方向に近づくように送られる。実施例の弾性シート２の素材はポリ四ふっ化エチレン樹脂であるので、その対向面２ｓは滑り易く、紙幣Ｍの先端を弾性シートの湾曲した対向面２ｓに沿って滑らせてベルトコンベア１ａ，１ｂに近づけるように送る。このように、紙幣Ｍは弾性シート２の対向面に当っても滑るように動くことによって、及び弾性シート２が紙幣Ｍに当ってその慣性力で変形・変位して逃げることによって、紙幣Ｍの先端は損耗が少なく、円滑にベルトコンベアに近づく。
【００１７】
紙幣Ｍが弾性シート２によって案内されてベルトコンベア１ａ，１ｂに接触すると、弾性シート２が弾性力で紙幣Ｍをベルトコンベアのベルト面に押し付け、紙幣Ｍはベルトコンベア１ａ，１ｂのベルト面に押し付けられて、ベルトコンベア１ａ，１ｂに確実に送って紙幣Ｍを紙幣格納室４ｂへ送られる。
ここで、弾性シート２の後面の開口２ｃには小さな紙幣送りローラ２ｄがあるため、紙幣Ｍはベルトコンベア１ａ，１ｂの送り力の他に紙幣送りローラ２ｄのローラによる送り力が加わって、紙幣Ｍは確実に送り出され、後の一対の紙幣送りローラ４ａによって紙幣格納室４ｂへと送られる。
【００１８】
その後は、紙幣格納室４ｂの格納機構（図示せず）によって紙幣格納室４ｂに送られてくる紙幣Ｍを重ねて収納し、次の紙幣Ｍの収納を可能にするように格納保管されるものである。
【００１９】
この実施例では、弾性シート２の前縁とベルトコンベア１ａ，１ｂとの距離（間口）は１２ｍｍ程あり、紙幣Ｍの送り方向、送り位置が多少変動しても、弾性シート２の湾曲した対向面２ｓに当り、紙幣Ｍの前縁が弾性シート２の下面の対向面２ｓに沿って下方に誘導され、最後は紙幣Ｍはベルト面と平行になり、しかも弾性シート２によって軽く押さえられて確実にベルトコンベア１ａ，１ｂへ送り込むことができ、紙幣Ｍの取り込みが確実である。
【００２０】
実施例の紙幣取り込みの行程を図６，図８，図９，図１０に示している。
そして、その行程を図１１（ａ），（ｂ），（ｃ）及び図１２（ｄ），（ｅ），（ｆ）に示している。
【００２１】
図１３，１４に示す装置は、本発明の他の紙幣取り込み装置Ｇ２の例であり、紙幣送り出し装置は前の実施例Ｇのキャレッジ５ｂを使用して空気流でキャレッジ５ｂを送って、同キャレッジのＶ字状の前の羽根部５ｂ１で紙幣を捕捉していく紙幣搬送装置５を使用している。
この他の例の特徴は、弾性シート２の後面には開口はなく、弾性シート２の後端から少し離れた位置に一本の長い紙幣送りローラ２ｅを設け、又ベルトコンベア１ｄも紙幣を覆う巾・長さの平ベルトが使用されている。
この他の例でも、紙幣Ｍは弾性シート２に当って弾性シート２の対向面を滑って巾の広いベルトコンベア１ｄに接触する。そして、弾性シート２で押し付けられながら紙幣Ｍは巾広のベルトコンベア１ｄで送られ、又弾性シート２を通過すると長い１本の紙幣送りローラ２ｅで強制送りされ、そしてその後の一対の紙幣送りローラ４ａに挟まれて紙幣格納室４ｂへ送られて、紙幣は重ねられて格納されるものである。
他は前の実施例と同様な構造・作用効果を有する。
【００２２】
図１５に示す例は上記図１〜１２に示す実施例において、弾性シート２の前に案内弾性シート２ｘを付加した他の実施例である。シート厚みは、弾性シート２は０．４ｍｍで、弾性シート２ｘは０．３ｍｍで、薄くしている。この他の実施例では、弾性シート２ｘでまず大きく紙幣の方向・位置を誘導して、後の弾性シート２でベルトの送り面に送る例である。他は、図１〜１２の実施例と同様である。
【００２３】
図１６に示す本発明の他の実施例は、キャレッジ５ｂが直線路を往復動するように動かされる例で、キャレッジ５ｂが紙幣取込口１ｃの少し手前でストッパ機構（図示せず）で停止され、そのキャレッジ５ｂの羽根部５ｂ１に捕捉された紙幣Ｍが放出されて、紙幣取込口１ｃの近くまで長く直線的に延びたキャレッジ案内ガイド５ｃのガイド内端５ｃｕによって拘束されて、紙幣Ｍの先端が確実に弾性シート２の先端部の湾曲した部分の中間に当るようにした例である。この例も、案内ガイド５ｃの内側先端のガイド内端５ｃｕとベルトコンベア１ａ，１ｂ，１ｄのベルト送り面（上面）との間隔は５ｍｍとしている。
【産業上の利用可能性】
【００２４】
本発明は、遊技場での搬送される紙幣の金庫等の格納室への紙幣取り込みの他に、自動販売機の紙幣の取り込み装置・キップ売り場の紙幣投入装置に巾広く使用できる。
【符号の説明】
【００２５】
Ｇ，Ｇ２    実施例の紙幣取り込み装置
Ｍ    紙幣
１ａ，１ｂ，１ｄ    ベルトコンベア
１ｃ    紙幣取込口
２    弾性シート
２ａ    取付部材
２ｂ    前縁
２ｃ    開口
２ｄ，２ｅ    紙幣送りローラ
２ｆ    開口
２ｓ    弾性シートの対向面
３    ケーシング
４ａ    紙幣送りローラ
４ｂ    紙幣格納室
５    ケーシング
５ａ    キャレッジ送り路
５ｂ    キャレッジ
５ｂ１，５ｂ２    羽根部
５ｃ    キャレッジ案内ガイド
５ｃｕ    ガイド内端
５ｄ    リターン部
５ｅ    紙幣放出部
【図１】
2016118914.tif 000003
【図２】
2016118914.tif 000004
【図３】
2016118914.tif 000005
【図４】
2016118914.tif 000006
【図５】
2016118914.tif 000007
【図６】
2016118914.tif 000008
【図７】
2016118914.tif 000009
【図８】
2016118914.tif 000010
【図９】
2016118914.tif 000011
【図１０】
2016118914.tif 000012
【図１１】
2016118914.tif 000013
【図１２】
2016118914.tif 000014
【図１３】
2016118914.tif 000015
【図１４】
2016118914.tif 000016
【図１５】
2016118914.tif 000017
【図１６】
2016118914.tif 000018